(57)【要約】      （修正有）【課題】旅先等で自由に礼拝し、心の安らぎを得ることができる旅持ち厨子を提供する。【解決手段】中央で下方に９０°折り曲げて二つ折りに形成自在の外装ケース１を有し、外装ケース内に、二つ折り部分の縁を底板７の中央に位置させると共に全体の外形がピラミッド状を呈し、最上段の中央に蓋９付の収納部を形成した厨子主体８を形成する。外装ケース内の両側に抽出し口４、４ａを形成し、一方の抽出し口４内の抽出し内には線香と線香入れ１２及び花立て１１、１１ａを、他方の抽出し口４ａ内の抽出し内には仏飯器１８と真鍮製のおりん２０及び鳴らし玉２１を収納する。礼拝時には、抽出し内からそれぞれの部品をとり出し、祭壇を整え、礼拝に供する。【選択図】図１６
0003206547.tif 000002
【実用新案登録請求の範囲】
【請求項１】
中央で下方に９０°折り曲げて二つ折りに形成自在の外装ケースと、
前記外装ケース内において、前記二つ折り部分の外装ケースの縁を底板の中央に位置させると共に全体の外形がピラミッド状を呈し、この最上段の中央に蓋付の収容部を形成して成る厨子主体と、
前記外装ケース内の両側に抽出し口を形成し、この抽出し口内に収容された抽出し内には線香立てと線香入れ及び花立てを収納し、他方の抽出し口の抽出し内には仏飯器と真鍮製のおりん及び鳴らし玉を収納して成る旅持ち厨子。
【考案の詳細な説明】
【技術分野】
【０００１】
本考案は、旅行等に際し、カバンや懐中に入れて携行し、任意の場所で祭壇を作り、礼拝することができる旅持ち厨子に関するものである。
【背景技術】
【０００２】
旅行等に際し、旅先まで携行し、旅館やホテル等において日常と同じく礼拝したいと願う人は多い。
しかし、そのためには礼拝の対象となるものがあるわけではないので、何かその代わりとなるものが欲しいと望む人は多い。
【０００３】
このようなことから、次のような提案がある。
特許文献１（実用新案登録第３１９６３８７号）。
この特許文献１は、
室内の省スペースに安置することができ、住宅事情が悪い都市部の人であっても、身近に手元供養（自宅供養）ができる遺骨を粉骨化して収納するための納骨箱と、納骨箱を収納可能な納骨仏壇であって、その構成は、
納骨箱は、粉骨化した遺骨を納めた納骨袋を収納する所要長さ、幅、深さを有して上方が開口した収納室を備える収納箱体と、収納箱体の開口を閉塞する蓋体と、から構成されており、納骨仏壇は、本尊や位牌等の礼拝仏具が供えられる厨子部の下方位置に納骨部を設け、納骨部には棚段が設けられて納骨箱を縦置きまたは平置きに収納可能な構成である。
【０００４】
しかし、上記特許文献１の場合、個人の遺骨を携行するだけで、礼拝のための厨子類がない。
このため、家庭の仏壇の前で礼拝するときに比べて物足りなさがある。
【考案の概要】
【考案が解決しようとする課題】
【０００５】
本考案は、旅先においてこの物足りなさ感を払拭することができる旅持ち厨子を提供するのが目的である。
【課題を解決するための手段】
【０００６】
上記目的を達成するため、請求項１に記載の考案は、旅持ち厨子において、中央で下方に９０°折り曲げて二つ折りに形成自在の外装ケースと、前記外装ケース内において、前記二つ折り部分の外装ケースの縁を底板の中央に位置させると共に全体の外形がピラミッド状を呈し、この最上段の中央に蓋付の収容部を形成して成る厨子主体と、前記外装ケース内の両側に抽出し口を形成し、この抽出し口内に収容された抽出し内には線香立てと線香入れ及び花立てを収納し、他方の抽出し口の抽出し内には仏飯器と真鍮製のおりん及び鳴らし玉を収納して成ること、を特徴とするものである。
【考案の効果】
【０００７】
本考案は以上の構成から成り、すべての厨子部品は外装ケース内の抽出し内に収納して携帯する。
【０００８】
そして、礼拝を行う際は、外装ケースの左右からそれぞれ抽出しを引き出し、その上で外装ケースの左右を下方に９０°折り曲げると、中から厨子主体が露出する。
【０００９】
この時、厨子主体の底板の中央が外装ケースの二つ折り部分の縁により回転自在に支持されているため、厨子主体は二つ折りされた左抽出しと右抽出しの縁上に露出する。
【００１０】
あとは、抽出し口内に収納されている抽出しを引き出し、この中から線香立て等の厨子部品を取り出し、これを厨子主体を中心としてこの周囲に並べて整え、祭壇を作り、礼拝の対象とする。
【図面の簡単な説明】
【００１１】
【図１】本考案に係る旅持ち厨子の携帯時の斜視図である。
【図２】外装ケースを二つ折りにしている状態の説明図である。
【図３】外装ケースを二つ折りにして内部からピラミッド状の厨子主体を露出させた状態の説明図である。
【図４】図３で二つ折りにした状態を上方から見下ろした状態の説明図である。
【図５】厨子主体の収納部から蓋体取り外している状態の説明図である。
【図６】図５で蓋体を取り外した状態を上方から見下ろした状態の説明図である。
【図７】外装ケース内から左右の抽出し口を引き出している状態の説明図である。
【図８】抽出し内から収納されている花立て類を取り出した状態の説明図である。
【図９】抽出し内から水入れ、おりん等を取り出した状態の説明図である。
【図１０】線香立てと線香入れの説明図である。
【図１１】花立ての外観の説明図である。
【図１２】花立ての内部構造の説明図である。
【図１３】仏飯器とおりん及び鳴らし玉の説明図である。
【図１４】仏飯器とおりん及び鳴らし玉を小箱内から取り出した状態の説明図である。
【図１５】仏飯器の説明図である。
【図１６】本考案の厨子部品を使用した祭壇例の説明図である。
【図１７】本考案の厨子部品を使用した祭壇例の説明図である。
【考案を実施するための形態】
【実施例１】
【００１２】
本考案の旅持ち厨子は、旅先に携行し、任意に礼拝ができるように、小型化と軽量化を図る。
【００１３】
外装ケース１は、中央で左右に２分割されて左ケース２と右ケース３に分かれていると共にこの左ケース２と右ケース３内には左抽出し口４と右抽出し口４ａが形成され、ここには左抽出し５と右抽出し６がそれぞれ組み付けられている。
【００１４】
そして、外装ケース１内であって、２分割されている分割縁１ａの上には、ピラミッド型の厨子主体８が底板７を介して蝶番１１により取り付けられていると共にこの厨子主体８の頂点には蓋９付の収納部８ａが形成されている。
【００１５】
又、左抽出し５内には、図１２に示す一対の花立て１１、１１ａ及び図１０に示す線香１５を収容した線香入れ１２及びこの蓋板兼用の線香立て板１３が収納されている。
図中１４は線香立て穴を示す。
【００１６】
次に、前記右抽出し口４ａ内には、右小ケース１７を介して仏飯器１８及び右小ケース１９を介して真鍮製のおりん２０と鳴らし玉２１が収納されている。
なお、左抽出し５内及び右抽出し６内の収納物については、左右入れ替わっていても良い。
【００１７】
本考案に係る厨子は以上の如き構成から成り、次にその使用例を図１〜図１７に基づいて詳細に説明する。
【００１８】
図１は携帯時の例であって、各部品は外装ケース１内に収納されている。
【００１９】
この状態から厨子仏壇を組み立てる場合には、図２に示すように外装ケース１において、左ケース２と右ケース３を中央から下方に９０°折り曲げて二つ折りに形成すると、厨子主体８は図２（Ｂ）に示すように左右のケース２、３の分割縁１ａに対して厨子主体８の底板７が蝶番１０により支持されていることにより、図３に示すように二つ折りしたときに底板７が左右のケース２、３の分割縁１ａ上に立設される。
【００２０】
この状態において、厨子主体８の収納部８ａから蓋９を取り外し、この収納部８ａ内の遺品等を現わす。
【００２１】
次に、図７に示すように、左右のケース２、３内から抽出し５、６を引き出し、図８に示すように左抽出し５内から線香入れ１２と線香立て板１３及び花立て１１、１１ａを取り出し、更に図８、図９に示すように右抽出し６内から小ケース１７、１８内に収まった仏飯器１８とおりん２０と鳴らし玉２１を取り出す。
【００２２】
次に、図１６に示すように、一対の花立て１１、１１ａを厨子主体８の前方左右に立てるようにして置き、この一対の花立て１１、１１ａの間であって、左右ケース２、３の前に並べて小ケース１７、１９を置き、この小ケース１７、１９の上に仏飯器１８とおりん２０をそれぞれ載せて置く。
【００２３】
次に、線香入れ１２は線香立て板１３を閉じたまま前記仏飯器１８とおりん２０の前に横にして置き、鳴らし玉２１はおりん２０の横に置く。
【００２４】
以上に説明した祭壇の形態は一例であって、礼拝者の都合やスペース、あるいは部屋の形態等に合わせてそれぞれの厨子物品を任意に陳列することができる。
【００２５】
例えば、図１７に示すように、花立て１１、１１ａを厨子主体８の前ではなく、この左右に並べるようにして置くこともできる。
【００２６】
線香立て板１３の場合も、図１０に示すように線香立て板１３をとり、この板１３を裏返し、線香立て穴１４内に線香１５を立て、図１６或いは図１７に示す祭壇において例えば仏飯器１６の前に置く。
【００２７】
以上のように、本考案に係る旅持ち厨子は、旅行等に際して外装ケース１内に厨子物品をすべて収納し、旅先の部屋等に置いて外装ケース１内から厨子物品をそれぞれ取り出し、祭壇を作って自由に礼拝を行うことができるため、旅先においても十分に心の安らぎを得ることができる。
【符号の説明】
【００２８】
１  外装ケース
１ａ  分割縁
２  左ケース
３  右ケース
４  左抽出し口
４ａ  右抽出し口
５  左抽出し
６  右抽出し
７  底板
８  厨子主体
８ａ  収納部
９  蓋
１０  蝶番
１１  花立て
１１ａ  花立て
１２  線香入れ
１３  線香立て板
１４  線香立て穴
１５  線香
１６  水入れ
１６ａ  水入れ
１７  左小ケース
１８  仏飯器
１９  右小ケース
２０  おりん
２１  鳴らし玉
【図１】
0003206547.tif 000003
【図２】
0003206547.tif 000004
【図３】
0003206547.tif 000005
【図４】
0003206547.tif 000006
【図５】
0003206547.tif 000007
【図６】
0003206547.tif 000008
【図７】
0003206547.tif 000009
【図８】
0003206547.tif 000010
【図９】
0003206547.tif 000011
【図１０】
0003206547.tif 000012
【図１１】
0003206547.tif 000013
【図１２】
0003206547.tif 000014
【図１３】
0003206547.tif 000015
【図１４】
0003206547.tif 000016
【図１５】
0003206547.tif 000017
【図１６】
0003206547.tif 000018
【図１７】
0003206547.tif 000019